(57)【特許請求の範囲】
【請求項１】
主として傾斜した設置面に空調用室外機を水平に据え付けるために、該室外機の下面と該設置面との間に介装される空調用室外機の据付台であって、
該室外機が載置固定される上台と、該上台にヒンジ機構を介して連結されていて、前記設置面に固定される下台と、該下台に対する上台の傾斜角を調整するための傾斜調整ボルトとから成り、
前記上台と下台とは、これらの長手方向の中央部に設けられたヒンジ機構を介して連結されて、該ヒンジ機構の両側にそれぞれ傾斜調整ボルトが設けられ、
前記上台には、ナット又はボルトの頭部を摺動可能に嵌装させるためのあり溝が長手方向に沿って設けられ、前記各傾斜調整ボルトは上台に設けられたねじ孔に螺合され、上台に対する各傾斜調整ボルトの進退により、下台に対して上台が両者の長手方向の中央部のヒンジ機構の部分を中心にして傾動可能になっていることを特徴とする空調用室外機の据付台。
【請求項２】
傾斜調整ボルトは、上台のあり溝に嵌装されたナットに螺合されて、ナットと一体となってあり溝の方向に摺動可能になっていることを特徴とする請求項１に記載の空調用室外機の据付台。
【請求項３】
傾斜調整ボルトは頭部を備えていて、該頭部は、下台に設けられたあり溝に嵌装されていることを特徴とする請求項１に記載の空調用室外機の据付台。
【請求項４】
傾斜調整ボルトは、上台に対して室外機を固定するための固定ボルトを兼用していることを特徴とする請求項１ないし３のいずれかに記載の空調用室外機の据付台。
【請求項５】
傾斜調整ボルトの先端面には、係合具を係合させて前記傾斜調整ボルトを回転させるための係合孔が形成されていることを特徴とする請求項１ないし４のいずれかに記載の空調用室外機の据付台。
【発明の詳細な説明】
【０００１】
【産業上の利用分野】
本発明は、主として傾斜した設置面に空調用室外機を水平に据え付けるために、該室外機の下面と該設置面との間に介装される空調用室外機の据付台に関するものである。
なお、本明細書においては、「あり溝」の用語が多用されているが、この「あり溝」とは、底部が閉塞されて溝状になっているものは勿論のこと、底部が開放されて孔状になっているものも含むものである。第１実施例の据付台Ｖ1 の下台２に設けられたものは前者の例であり、据付台Ｖ4,Ｖ6 の各下台２に設けられたものは後者の例である。
【０００２】
【従来の技術】
空調用室外機の据付台としては、樹脂の押出成形により中空筒状に形成されたものがあり、この中空筒状の据付台を用いて、傾斜した設置面に空調用室外機を据え付けるには、例えば実開平6-28524 号公報に開示されているような固定用スペーサを使用する必要があった。
【０００３】
しかしながら、従来の据付台を用いて傾斜した設置面に空調用室外機を据え付けるには、別途固定用スペーサが必要となり、しかもその取付作業が面倒であった。また、この固定用スペーサは厚板状をしていて、設置面の傾斜角度に対応した枚数のものを積み重ねて使用しているため、種々の設置面の傾斜角度に対応させるには、常に複数枚の固定用スペーサを用意しておく必要があった。更に、複数枚のスペーサを積み重ねて、設置面の傾斜に対応させているので、１枚のスペーサの厚さに対応した角度ずつ段階的にしか、角度の変化を実現させることができないために、微調整ができず、設置場所に傾斜角度によっては、空調用室外機を正確に水平に据え付けられない場合がある。
【０００４】
【発明が解決しようとする課題】
本発明は、空調用室外機を傾斜した設置面に据え付ける場合の上記した不具合に鑑み、任意の傾斜角の設置面に空調用室外機を正確に水平であって、しかも簡単に据え付けることができる空調用室外機の据付台の提供を課題としている。
【０００５】
【課題を解決するための手段】
この課題を解決するための本発明は、主として傾斜した設置面に空調用室外機を水平に据え付けるために、該室外機の下面と該設置面との間に介装される空調用室外機の据付台であって、該室外機が載置固定される上台と、該上台にヒンジ機構を介して連結されていて、前記設置面に固定される下台と、該下台に対する上台の傾斜角を調整するための傾斜調整ボルトとから成り、前記上台と下台とは、これらの長手方向の中央部に設けられたヒンジ機構を介して連結されて、該ヒンジ機構の両側にそれぞれ傾斜調整ボルトが設けられ、前記上台には、ナット又はボルトの頭部を摺動可能に嵌装させるためのあり溝が長手方向に沿って設けられ、前記各傾斜調整ボルトは上台に設けられたねじ孔に螺合され、上台に対する各傾斜調整ボルトの進退により、下台に対して上台が両者の長手方向の中央部のヒンジ機構の部分を中心にして傾動可能になっていることを特徴としている。
【０００６】
【発明の作用】
上台と下台とは長手方向の中央部のヒンジ機構を介して連結されているので、前記ヒンジ機構の両側に配置されて、上台に設けられたねじ孔と螺合している各傾斜調整ボルトを回転させると、２本の傾斜調整ボルトの一方は上台に対して前進すると共に、その他方は上台に対して後退して、下台に対して上台が両者の長手方向の中央部のヒンジ機構の部分を中心にして傾動する。このようにして、下台を傾斜した設置面に固定した後に、上記のようにして、上台が水平となるまで、下台に対して上台を傾動させ、その後に、上体部に空調用室外機を載置固定する。
【０００７】
【実施例】
以下、実施例を挙げて、本発明を更に詳細に説明する。図１は、本発明の第１実施例の据付台Ｖ1 によって傾斜した設置面Ｆに空調用室外機Ａを水平にして据え付けた状態の側面図であり、図２は、同じく平面図であり、図３は、据付台Ｖ1 の斜視図であり、図４は、同じく平面図であり、図５は、同じく中央縦断面図であり、図６は、同じく傾斜調整ボルト５の部分の横断面図である。この据付台Ｖ1 は、合成樹脂で製作されていて、図３ないし図６に示されるように、上下方向に沿って所定の間隔をおいて互いに平行に配設された上台１と下台２とが、これらの長手方向の中央部においてヒンジ体３を介して一体に連結された構成である。
【０００８】
上台１における前記ヒンジ体３の両側の部分には、それぞれ長手方向に沿ってあり溝４が設けられている。各あり溝４における外端部を除く部分は、孔状に形成されて、上台１に対して傾斜調整ボルト５が挿通し得る構造になっている。各あり溝４には、それぞれ方形状のナット６が該あり溝４の方向に沿って摺動可能に嵌装されている。ナット６は方形状をしているために、あり溝４に嵌装された状態では、回動不能となる。一方、下台２は、前記上台１とほぼ同長であって、その長手方向の両端部にフランジ部７がそれぞれ延設されて、各フランジ部７には、それぞれアンカーボルト８の挿通孔７ａが設けられている。下台２における前記ヒンジ体３の両側の部分には、前記上台１と同様にして、それぞれ長手方向に沿ってあり溝９が設けられている。
【０００９】
また、傾斜調整ボルト５は、頭部５ａを有していて、この頭部５ａが下台２のあり溝９に嵌装されていると共に、そのねじ部が前記ナット６に螺合されて、非使用状態において、上台１の上面に所定長だけ突出している。ナット６及び傾斜調整ボルト５の頭部５ａは、それぞれあり溝４，９に案内されて摺動可能となっているので、傾斜調整ボルト５は、上台１及び下台２の長手方向に沿って移動可能となっている。また、傾斜調整ボルト５の先端面には、ドライバーなどの係合具（図示せず）と係合させて、該ボルト５を回転させるための係合孔５ｂが設けられている。第１実施例の据付台Ｖ1 においては、傾斜調整ボルト５は、上台１に設置する空調用室外機Ａを該上台１に固定するための固定ボルトを兼用している。なお、上台１に設けられたあり溝４の外端部は、傾斜調整ボルト５の抜け出しを防止する構造になっているため、図示されてはいないが、この部分は嵌込片を嵌込可能な構造にして、上台１及び下台２の各あり溝４，９の両端面から傾斜調整ボルト５を挿入した後に、あり溝４の外端部に嵌込片を嵌め込む必要がある。
【００１０】
このように、第１実施例の据付台Ｖ1 は、上台１と下台２とが、その中央部においてヒンジ体３を介して一体に連結されているので、該ヒンジ体３の両側に設けられている各傾斜調整ボルト５を互いに逆方向に回転させると、各傾斜調整ボルト５は、上台１のあり溝４に回動不能となって嵌装されたナット６に螺合されているために、各傾斜調整ボルト５は、上台１に対して互いに逆方向に進退して、下台２に対して上台１がヒンジ体３を中心にして各傾斜調整ボルト５の回転数に比例した角度だけ傾動する。
【００１１】
そして、１対の上記据付台Ｖ1 を用いて、傾斜した設置面Ｆに空調用室外機Ａを水平に据え付けるには、以下のようにして行う。図１及び図２に示されるように、室外機Ａの下端に設けられた１対１組となった２組のフランジ部１１の幅Ｗに対応した間隔でもって、傾斜した設置面Ｆに１対の据付台Ｖ1 を配設して、各据付台Ｖ1 の下台２に延設されたフランジ部７の挿通孔７ａに、予め設置部に埋設されているアンカーボルト８の突出部を挿通して、該アンカーボルト８の突出部にナット１２を螺合させることにより、傾斜した設置面Ｆに１対の据付台Ｖ1 を上記した幅Ｗでもって固定する。
【００１２】
次に、据付台Ｖ1 に設けられている２本の傾斜調整ボルト５のピッチＰが、室外機Ａの本体を挟んで設けられている１対１組の各フランジ部１１のピッチと同一となるように、各傾斜調整ボルト５をあり溝４，９に沿って移動させる。その後に、据付台Ｖ1 に設けられている２本の傾斜調整ボルト５を互いに逆方向に回転させて、下台２に対して上台１をヒンジ体３を中心にして所定角度だけ傾動させることにより、該上台１を水平に定める。最後に、１対の上記据付台Ｖ1 の各上台１に室外機Ａを設置して、そのフランジ部１１に設けられた挿通孔（図示せず）に傾斜調整ボルト５の突出部を挿通して、該突出部にナット１３を螺合させると、１対の据付台Ｖ1 を介して傾斜した設置面Ｆに空調用室外機Ａが水平に据え付けられる。室外機Ａの据付状態においては、該室外機Ａの重量は、４本の傾斜調整ボルト５と、１対の据付台Ｖ1 の各ヒンジ体３とで支持される。第１実施例の据付台Ｖ1 では、傾斜調整ボルト５に頭部５ａが設けられていて、下台２のあり溝９に該頭部５ａが嵌装されているために、上記のようにして、上台１を水平にする場合において、２本の傾斜調整ボルト５のうち、いずれを先に上台１に対して進退させてもよい。即ち、上台１に引張力、或いは離反力のいずれを作用させても、下台２に対して上台が傾動するので、上台１を水平にするための調整作業が容易となる。
【００１３】
引き続いて、本発明の別の実施例の据付台Ｖ2 〜Ｖ6 について説明するが、上記第１実施例の据付台Ｖ1 と同一部分には同一符号を付し、重複説明を避けて、異なる部分についてのみ説明する。図７及び図８に示される第２実施例の据付台Ｖ2 は、上台１と下台２とが、これらの長手方向の中央部においてヒンジ体３を介して一体に連結された構成であるが、この下台２が前記据付台Ｖ1 のものよりも厚肉となっていて、この厚肉の下台２の上面にボルト当接溝１４が長手方向に沿って設けられ、頭部を有しない傾斜調整ボルト５の下端面がボルト当接溝１４の底面に当接している。この据付台Ｖ2 において、上台１に対して傾斜調整ボルト５を進退させることにより、下台２に対して上台１をヒンジ体３を中心にして傾動させて、傾斜した設置面Ｆにおいて該上台１を水平にするには、上台１における下台２と離間する側（傾斜した設置面Ｆに配設した状態では、低い方に位置する側）に設けられた傾斜調整ボルト５を最初に回転させる必要がある。即ち、第２実施例の据付台Ｖ2 では、上台１に離反力を作用させて、これを傾動させる必要がある。
【００１４】
また、図９及び図１０に示される第３実施例の据付台Ｖ3 も、上台１と下台２とが、これらの長手方向の中央部においてヒンジ体３を介して一体に連結された構成であるが、下台２にボルト挿通孔１５が長手方向に沿って設けられて、傾斜した設置面Ｆに据付台Ｖ3 を固定した状態では、ヒンジ体３の両側に設けられた２本の傾斜調整ボルト５は、いずれも該設置面Ｆに直接に当接する構成となっている。また、上台１及び下台２は、いずれも両端から中央に向けて漸次厚肉となっていて、上台１に室外機Ａを設置固定した場合における据付台Ｖ3 の支持強度を高めている。この据付台Ｖ3 では、各傾斜調整ボルト５の先端面が設置面Ｆに直接に当接する構成であるので、上台１に室外機Ａを設置固定した状態では、室外機Ａの重量を各傾斜調整ボルト５が直接に支持することになって、室外機Ａの支持強度が高まる利点がある。
【００１５】
また、図１１ないし図１３に示される据付台Ｖ4 は、上台１と下台２とが、これらの一端部に設けられたヒンジ体３を介して一体に連結され、上台１には、その中央部を除く部分にあり溝４が設けられていると共に、下台２におけるヒンジ体３が設けられている部分と反対側の部分には、傾斜調整ボルト５の頭部５ａが引っ掛かる形状のボルト挿通孔１５が長手方向に沿って設けられ、上台１の自由端側のあり溝４に嵌装されたナット６に傾斜調整ボルト５が螺合されて、設置面Ｆに固定した状態において、傾斜調整ボルト５を正逆両方向に回転させて、その頭部５ａを設置面Ｆに当接させるか、或いは挿通孔１５の幅の狭い部分の周縁部に引っ掛ける構成である。このように、この据付台Ｖ4 では、傾斜調整ボルト５を挿通させるための挿通孔１５が上記した形状になっていて、傾斜調整ボルト５の頭部５ａが該挿通孔１５の周縁部に引っ掛かる構成になっているので、上台１に引張力及び離反力のいずれの力を作用させても、上台１は、その長手方向の一端部に設けられたヒンジ体３を中心にして下台２に対して傾動する。なお、この据付台Ｖ4 では、上台１の基端側のあり溝４に固定ボルト１６の頭部１６ａが嵌装され、この固定ボルト１６と、上台１の自由端側に設けられた傾斜調整ボルト５とによって、上台１に設置された室外機Ａは、該上台１に固定される。この据付台Ｖ4 の下台２に設けられたボルト挿通孔１５は、本明細書における「あり溝」に相当するものである。
【００１６】
また、図１４ないし図１７に据付台Ｖ5 が示されている。上記した各据付台Ｖ1 〜Ｖ4 は、いずれも合成樹脂で成形され、上台１と下台２とがヒンジ体３を介して一体構造になっているが、この据付台Ｖ5 は、上台２１と下台２２とが別体となっていて、両者がヒンジピン２３を介して連結されている構成が前記各据付台Ｖ1 〜Ｖ4 と異なるのみで、他の構成は、これらとほぼ同一である。即ち、上台２１は、図１４ないし図１６に示されるように、横断面が台形状となっていて、下面に開口した細長い箱状をしている。この上台２１の下半部を除く部分に縦横の各リブ２１ａが設けられて補強されており、その基端であって、しかも下端に位置する部分の幅方向の両端部には、一対の連結フランジ板２５が下方に突出して設けられ、その上面における長手方向に沿って中央部から先端に至る部分には、各据付台Ｖ1 〜Ｖ4 の上台１に設けられたあり溝４と同一構造のあり溝２４が設けられている。このあり溝２４には、ナット６が嵌装されて、このナット６に傾斜調整ボルト５が螺合されることにより、螺合状態において、傾斜調整ボルト５は上台２１を貫通している。また、上台２１の基端部には、長手方向に沿って長孔２６が設けられて、該長孔２６に、空調用室外機Ａを固定するための固定ボルト１６が取付けられている。
【００１７】
また、下台２２は、図１４及び図１５に示されるように、横断面がほぼ方形状をしていて、下面の大部分が開口した細長い箱状をしている。即ち、下台２２の上半部は、前記上台２１の下半部と嵌合可能な形状になっていて、その下半部との間に所定の段差部２２ｂが設けられ、下台２２に対して上台２１を嵌合させると、全体が一つの箱体となるような形状になっている。下台２２の基端部の高さは、他の部分に比較して低くなっており、この高さの低い部分にヒンジピン２３を挿通させるための中空状のピン挿通筒２７が設けられている。このピン挿通筒２７の幅は、下台２２の他の部分の幅よりも僅かに狭くなっている。また、下台２２の前部には、傾斜調整ボルト５の下部を挿入するための挿入孔２８が設けられ、下台２２の下面における挿入孔２８が設けられている部分には、傾斜調整ボルト５の下端面を当接させるための当接板２９が設けられている。この下台２２も上記上台２１と同様にして、内部に設けられた縦横の各リブ２２ａにより補強されている。
【００１８】
そして、下台２２の上方に上台２１を配置して、上台２１の基端部に設けられた一対の連結フランジ板２５を下台２２のピン挿通筒２７の両側方にそれぞれ配置し、各連結フランジ板２５に設けられたピン挿入孔２５ａと、下台２２のピン挿通筒２７にヒンジピン２３を挿通させると、上台２１と下台２２とは、その基端部においてヒンジピン２３を介して連結され、このヒンジピン２３の部分を中心にして、上台２１は、下台２２に対して傾動可能となる。この据付台Ｖ5 に関しても、下台２２を設置面に固定した後に、上台２１に対して傾斜調整ボルト５を進退させることにより、この上台２１を水平にして、この上面に室外機を載置固定すればよい。
【００１９】
上記した各据付台Ｖ1 〜Ｖ5 は、傾斜調整ボルト５と螺合されるナット６が上台１，２１のあり溝４，２４に摺動可能に嵌装されていて、この傾斜調整ボルト５が上台１，２１に室外機Ａを固定するための固定ボルトを兼用した構造のものであるが、図１８及び図１９に示される据付台Ｖ6 は、傾斜調整ボルト５が摺動しない構造のものである。図１８及び図１９には、据付台Ｖ6 における傾斜調整ボルト５の部分のみが示されており、この据付台Ｖ6 の傾斜調整部の構造は、上台１と下台２とが、その長手方向の中央部、或いは一端部のいずれで連結されているものにも適用可能である。即ち、上台１には、その端面に開口するあり溝４が長手方向に沿って設けられ、その端部には、該あり溝４を挟んで一対のナット孔３１が側面に開口して設けられて、各ナット孔３１にそれぞれナット６が嵌装され、下台２に頭部５ａが係合している傾斜調整ボルト５が該ナット６に螺合して、所定長だけ上台の上方に突出している。また、上台１に設けられたあり溝４には、固定ボルト１６の頭部１６ａが摺動可能に嵌装されている。このため、上台の端部に設けられた一対の傾斜調整ボルト５を回転させて、該上台１に対して進退させると、上台１と下台２とを連結しているヒンジ体３を中心にして該上台１が傾動することになる。この据付台Ｖ6 においても、下台２における傾斜調整ボルト５の頭部５ａが係合している部分は、本明細書における「あり溝」に相当する。
【００２０】
なお、上記据付台Ｖ6 においては、傾斜調整ボルト５と螺合されるねじ孔を上台１に設ける手段として、この上台１にナット孔３１を設け、このナット孔３１にナット６を嵌装する構成を採用しているが、この場合において、上台１に直接にねじ孔を設けてもよい。
【００２１】
【発明の効果】
本発明に係る空調用室外機の据付台は、上台と下台とは、長手方向の中央部のヒンジ機構を介して連結されていて、前記ヒンジ機構の両側に配置されて、上台に設けられたねじ孔に螺合されている２本の傾斜調整ボルトをそれぞれ回転させると、２本の傾斜調整ボルトの一方は上台に対して前進すると共に、その他方は上台に対して後退して、下台に対して上台がヒンジ機構の部分を中心にして傾動するように構成されているので、下台を傾斜した設置面に固定した後に、上台が水平となるまで、下台に対して上台を傾動させ、その後に、上台に空調用室外機を設置して、固定ボルトによって上台に室外機を固定することにより、傾斜した設置面に室外機を正確に水平に据え付けることができる。このため、傾斜した設置面に空調用室外機を水平に据え付けるための据付作業が簡単になると共に、ヒンジ機構の部分を中心にして上台が下台に対して無段階に傾動するために、任意の傾斜角を有する設置面に対して室外機を正確に水平に据え付けることができる。更に、据付台の設置状態においては、ヒンジ機構の両側に配置された２本の傾斜調整ボルトの下端面は、据付台を構成する下台、又は設置面に当接していて、据付台を構成するヒンジ機構の部分のみならず、ヒンジ機構の両側に配置された２本の傾斜調整ボルトによっても室外機の重量が支持されるために、据付台としての支持強度も高い。
【図面の簡単な説明】
【図１】第１実施例の据付台Ｖ1 によって傾斜した設置面Ｆに空調用室外機Ａを水平にして据え付けた状態の側面図である。
【図２】同じく平面図である。
【図３】据付台Ｖ1 の斜視図である。
【図４】同じく平面図である。
【図５】同じく中央縦断面図である。
【図６】同じく傾斜調整ボルト５の部分の横断面図である。
【図７】第２実施例の据付台Ｖ2 の部分斜視図である。
【図８】同じく中央縦断面図である。
【図９】第３実施例の据付台Ｖ3 の部分斜視図である。
【図１０】同じく中央縦断面図である。
【図１１】据付台Ｖ4 の部分斜視図である。
【図１２】同じく中央縦断面図である。
【図１３】同じく傾斜調整ボルト５の部分の横断面図である。
【図１４】据付台Ｖ5 の斜視図である。
【図１５】同じく中央縦断面図である。
【図１６】上台２１の底面図である。
【図１７】上台２１と下台２２とを連結しているヒンジピン２３の部分の拡大断面図である。
【図１８】据付台Ｖ6 の部分斜視図である。
【図１９】同じく傾斜調整ボルト５の部分の横断面図である。
【符号の説明】
Ａ：空調用室外機
Ｆ：傾斜した設置面
Ｖ1 〜Ｖ6 ：据付台
１，２１：上台
２，２２：下台
３：ヒンジ体（ヒンジ機構）
４，２４：上台のあり溝
５：傾斜調整ボルト
５ａ：傾斜調整ボルトの頭部
６：ナット
９：下台のあり溝
２３：ヒンジピン（ヒンジ機構）
２５：連結フランジ板
２７：ピン挿通筒
【図１】
0003594695.tif 000002
【図２】
0003594695.tif 000003
【図３】
0003594695.tif 000004
【図４】
0003594695.tif 000005
【図５】
0003594695.tif 000006
【図６】
0003594695.tif 000007
【図７】
0003594695.tif 000008
【図８】
0003594695.tif 000009
【図９】
0003594695.tif 000010
【図１０】
0003594695.tif 000011
【図１１】
0003594695.tif 000012
【図１２】
0003594695.tif 000013
【図１３】
0003594695.tif 000014
【図１４】
0003594695.tif 000015
【図１５】
0003594695.tif 000016
【図１６】
0003594695.tif 000017
【図１７】
0003594695.tif 000018
【図１８】
0003594695.tif 000019
【図１９】
0003594695.tif 000020